(57)【要約】【課題】プレゼンス情報の共有を効率良く行うことを可能とする。【解決手段】利用者端末２，３では、仲間リスト管理機能２２，３２によりデータ共有を行う相手に関する管理を行う。プレゼンス情報管理機能２３，３３では、プレゼンス情報の管理と、通信ネットワーク１を介して他の利用者端末との直接的なプレゼンス情報の共有とを行う。セッション管理機能２４，３４は、プレゼンス情報管理機能２３，３３により管理されるプレゼンス情報に基づくセッションの管理を行う。【選択図】　　図１
2004021420.tif 000002
【特許請求の範囲】
【請求項１】
通信ネットワークを介して通信可能な他の通信端末との間でデータ共有を行う通信端末において、
前記データ共有を行うことが許容される共有相手を管理する相手管理手段と、
前記データ共有のため条件を表わすプレゼンス情報を管理し、前記相手管理手段により前記共有相手として管理されている相手と前記通信ネットワークを介して直接的に前記プレゼンス情報を共有するプレゼンス情報共有手段と、
前記相手管理手段により前記共有相手として管理されている相手と前記プレゼンス情報共有手段により管理されたプレゼンス情報に基づいてのデータ共有のためのセッションを管理するセッション管理手段とを具備した通信端末。
【請求項２】
前記プレゼンス情報共有手段は、前記相手管理手段により前記共有相手として管理されている相手と直接的に前記プレゼンス情報の授受を行うことができない場合には前記通信ネットワークに接続されたサーバに対して前記プレゼンス情報の授受を行う請求項１に記載の通信端末。
【発明の詳細な説明】
【０００１】
【発明の属する技術分野】
本発明は、通信ネットワークに接続し、利用者が通信相手との間で文字、音声、動画像、その他のファイルなどの情報を共有するアプリケーションおよびそのアプリケーションの実行環境においてプレゼンス情報を共有する通信端末に関する。
【０００２】
【従来の技術】
近年のインスタントメッセージ（ＩＭ）等、通信ネットワークを利用し、複数の利用者間で情報の送受信を行うアプリケーションにおいては、通信相手が特定のアプリケーションを利用しているか否か、あるいは、通信ネットワークに接続しているか否か、といった諸状況を示すプレゼンス情報を共有することによって相手の状況を知り、それを考慮して通信相手との間で情報を送受信する形態が増加している。そしてこれに応じて、プレゼンス情報共有技術も市場に提供され、利用されている。
【０００３】
また、利用者間のデータ共有を行う際に、通信ネットワーク上のサーバを介さず、直接情報を共有する、ピア・トゥー・ピア（Ｐ２Ｐ）型の通信形態の利用が増加している。
【０００４】
【発明が解決しようとする課題】
一方、上述のような形態での通信に利用される通信ネットワークとしては、無線ネットワークが一般的となっている。無線ネットワークの利用に際しては、利用者は移動に伴い位置情報や接続中のアクセス網が頻繁に変化する。また、利用者の置かれている状況（位置、時間帯、端末状況、気分、セッションの状況、等）の変化に伴い、利用者のプレゼンス情報は頻繁に変化する。そのため、より複雑な情報がより頻繁にやり取りされることとなる。
【０００５】
従来のプレゼンス情報共有技術では、プレゼンス情報は通信ネットワークに接続されたプレゼンスサーバを介して共有される。プレゼンスサーバは、プレゼンス情報共有のための処理や、利用者の接続状況を調べるために、定期的に利用者端末からの応答を調べる等の処理を行っており、このためにネットワークリソースを多く用いている。
【０００６】
また、Ｐ２Ｐ型通信形態の増加に伴い、サーバを介してやり取りされるプレゼンス情報の量が増大する。
【０００７】
このため、従来のプレゼンス情報共有技術では、接続中の利用者端末の増加、プレゼンス情報をやり取りする頻度の増加、あるいはプレゼンス情報の複雑化などによりやり取りされるプレゼンス情報の量が増大すると、プレゼンスサーバに多大な負担がかかる。プレゼンスサーバがプレゼンス情報を管理する能力を上回る処理要求が出され、安定してプレゼンス情報を共有することが出来なくなるなどの不具合が生じるおそれがある。
【０００８】
本発明はこのような事情を考慮してなされたものであり、その目的とするところは、プレゼンス情報の共有を効率良く行うことを可能とする通信端末を提供することにある。
【０００９】
【課題を解決するための手段】
以上の目的を達成するための本発明は、通信ネットワークを介して通信可能な他の通信端末との間でデータ共有を行う通信端末において、前記データ共有を行うことが許容される共有相手を管理する相手管理手段と、前記データ共有のため条件を表わすプレゼンス情報を管理し、前記相手管理手段により前記共有相手として管理されている相手と前記通信ネットワークを介して直接的に前記プレゼンス情報を共有するプレゼンス情報共有手段と、前記相手管理手段により前記共有相手として管理されている相手と前記プレゼンス情報共有手段により管理されたプレゼンス情報に基づいてのデータ共有のためのセッションを管理するセッション管理手段とを備えた。
【００１０】
このような手段を講じたことにより、データ共有のため条件を表わすプレゼンス情報は、個々の通信端末で管理され、通信端末間で通信ネットワークを介して直接的に共有される。従って、多数の通信端末が利用される環境下で使用される場合でも、サーバへのプレゼンス情報共有処理の集中が生じることはない。
【００１１】
【発明の実施の形態】
以下、図面を参照して本発明の一実施形態につき説明する。
【００１２】
図１は本実施形態に係る通信端末が適用される通信システムを示すブロック図である。
【００１３】
この図１に示すように本実施形態の通信システムは、通信ネットワーク１に、利用者端末２，３およびサーバ４を接続して構成されている。
【００１４】
通信ネットワーク１としては、携帯電話網、ＰＨＳ網、無線ＬＡＮ、有線ＬＡＮ、あるいはＤＳＬ（Ｄｉｇｉｔａｌ　Ｓｕｂｓｃｒｉｂｅｒ　Ｌｉｎｅ）網等の各種のネットワーク接続が想定される。
【００１５】
利用者端末２，３は、ＩＰ網への接続機能を持った端末である。利用者端末２，３としては、例えば携帯型パーソナルコンピュータ、ＰＤＡ、あるいは携帯電話等の通信端末が利用できる。
【００１６】
利用者端末２，３は、上記の種々の通信端末が有する周知の一般的な機能に加えて、アプリケーション２１，３１、仲間リスト管理機能２２，３２、プレゼンス情報管理機能２３，３３およびセッション管理機能２４，３４を備える。
【００１７】
アプリケーション２１，３１は、通信ネットワーク１を介して他の利用者端末との間でデータ共有を行う。アプリケーション２１，３１は、１種類のみが実装されていても良いし、互いに異なる複数種類が実装されていても良い。
【００１８】
仲間リスト管理機能２２，３２、プレゼンス情報管理機能２３，３３およびセッション管理機能２４，３４は、アプリケーション２１，３１の利用に先立って、プレゼンス情報を活用して通信相手の状況を確かめるための機能である。
【００１９】
上記の利用者端末が、通信ネットワークに接続され、移動しながら利用される。利用者の移動に伴って、利用者の状況を表すコンテキストは時々刻々変化する。コンテキストには、例として、利用者端末のバッテリ残量、メモリ残量、利用中の通信ネットワーク種別、利用中の通信デバイス、利用者の位置情報、移動速度、気分、利用中のアプリケーション等が含まれる。
【００２０】
仲間リスト管理機能２２，３２は、利用者がプレゼンス情報を共有したい相手となる他ユーザの一覧（仲間リスト）を管理する。また仲間リスト管理機能２２，３２は、通信相手あるいはコンテキストに応じて、どこまで詳細なプレゼンス情報を提供するか、といったプレゼンス情報のアクセス設定を行う機能を持つ。仲間リストには、該当する利用者のハンドル名と、その利用者をネットワーク識別するための情報（例えばＳＩＰアドレス、インスタントメッセージＵＲＩ、ＨＴＴＰ　ＵＲＬ、メールアドレス、電話番号等のうちの何れか）が含まれる。
【００２１】
なお、従来のプレゼンス技術では、ネットワーク上のプレゼンスサーバのみにおいて仲間リストを管理しているが、仲間リスト管理機能２２，３２は、上記のプレゼンスサーバが管理する仲間リストをダウンロードし、これをもとにアクセス設定に関する情報を付加して保持する。このように、ネットワーク上のプレゼンスサーバで管理される仲間リストの複製を、利用者端末上に保持しておく。仲間リスト管理機能２２，３２は、仲間リストを、同じ利用者端末上の他のアプリケーションから参照可能な形で保持する。例として、仲間リストをＸＭＬ（ｅＸｔｅｎｓｉｂｌｅ　Ｍａｒｋｕｐ　Ｌａｎｇｕａｇｅ）の形式でファイルとして保存することや、仲間リスト参照のためのＡＰＩを提供すること、等の方法がある。
【００２２】
プレゼンス情報管理機能２３，３３は、上記のコンテキストに基づいて、プレゼンス情報を生成する。プレゼンス情報には、利用者が応答可能と設定したアプリケーション毎に識別情報等を一覧の形で含む。プレゼンス情報のデータ表現形式はＣＰＩＭ（Ｃｏｍｍｏｎ　Ｐｒｏｆｉｌｅ　ｆｏｒ　Ｉｎｓｔａｎｔ　Ｍｅｓｓａｇｅ）等の標準仕様に基づく。プレゼンス情報管理機能２３，３３は、自分および他ユーザのプレゼンス情報を保持し、管理することにより、プレゼンス情報を端末間で共有する機能をもつ。プレゼンス情報の共有は、通信ネットワークを介して互いにプレゼンス情報を授受し合うことで実現可能である。
【００２３】
プレゼンス情報管理機能２３，３３は、プレゼンス情報の共有を行うに当っては、標準化が進められているプレゼンスプロトコルを使用する。これにより、プレゼンス情報管理機能間の相互運用性を確保する。例として、プレゼンス情報定義は、ＩＥＴＦ（Ｉｎｔｅｒｎｅｔ　Ｅｎｇｉｎｅｅｒｉｎｇ　Ｔａｓｋ　Ｆｏｒｃｅ）のＩＭＰＰ（Ｉｎｓｔａｎｔ　Ｍｅｓｓａｇｅｉｎｇ　ａｎｄ　Ｐｒｅｓｅｎｃｅ　Ｐｒｏｔｏｃｏｌ）仕様を用いる。また、ＩＭ（Ｉｎｓｔａｎｔ　Ｍｅｓｓａｇｅ）およびプレゼンス情報のトランスポートプロトコルとして、ＳＩＰ（Ｓｅｓｓｉｏｎ　Ｉｎｉｔｉａｔｉｏｎ　Ｐｒｏｔｏｃｏｌ）をベースとしたＳＩＭＰＬＥ（Ｓｅｓｓｉｏｎ　ｉｎｉｔｉａｔｉｏｎ　ｐｒｏｔｏｃｏｌ　ｆｏｒ　Ｉｎｓｔａｎｔ　Ｍｅｓｓａｇｅ　ａｎｄ　Ｐｅｒｓｏｎａｌ　ＬＥｖｅｒａｇｉｎｇ）を用いる。ＳＩＭＰＬＥはＳＩＰの拡張メソッドであるＳＵＢＳＣＲＩＢＥによってＷａｔｃｈｅｒがＰｒｅｓｅｎｔｉｔｙに対してプレゼンス情報を要求し、同じく拡張メソッドであるＮＯＴＩＦＹによってＰｒｅｓｅｎｔｉｔｙがＷａｔｃｈｅｒに対してプレゼンス情報をプッシュする仕組みとなっている。
【００２４】
プレゼンス情報管理機能２３，３３は、ＳＩＭＰＬＥプロトコルに基づいて、仲間リスト上の各利用者の識別情報を参照し、これら利用者の持つ端末に対して、ＳＵＢＳＣＲＩＢＥメソッドを送信する。プレゼンス情報管理機能２３，３３は、上記のようなＳＵＢＳＣＲＩＢＥメソッドを受けた場合には、そのＳＵＢＳＣＲＩＢＥメソッドを送信したのが自分の仲間リストに存在するユーザであれば、自分の持つプレゼンス情報を示したＮＯＴＩＦＹメソッドを送出する。この操作を双方向で行うことで、プレゼンス情報を端末間で共有する。
【００２５】
セッション管理機能２４，３４は、ＳＩＰ等のアプリケーションプロトコルに基づいたメッセージを相手の利用者端末との間で送受することで、セッションの開始・中断・終了を行う。セッション管理機能２４，３４は、セッション管理を行うに当たって、セッションメンバーの候補である他の利用者を識別するための情報を仲間リスト管理機能２２，３２における仲間リストを参照することによって得る。
【００２６】
サーバ４は、利用者端末２，３上の機能を補完するための各種サーバ機能を提供する。ここではサーバ４は、バックアッププレゼンスサーバ４１およびファイル共有サーバ４２を有している。
【００２７】
バックアッププレゼンスサーバ４１は、電源がオフとなっていたり、通信ネットワークヘの接続が不可能である利用者端末２，３を代理してプレゼンス情報を提供する。またファイル共有サーバ４２は、直接情報の授受が出来ない利用者端末２，３を代理して一旦情報を蓄積する機能を持つ。なおこのバックアッププレゼンスサーバ４１の機能は、例えば特願２００２−１０６９１４号にて本出願人が提案済みの方法を用いることで実現が可能である。
【００２８】
次に以上のような通信システムの動作につき説明する。
【００２９】
図２はプレゼンス情報管理機能２３，３３におけるプレゼンス情報取得のための処理を示すフローチャートである。また図３はプレゼンス情報取得の手順の具体例を示すシーケンス図である。
【００３０】
図２の処理を開始するとプレゼンス情報管理機能２３，３３はまずステップＳＴ１において、有効期間をＴ秒、タイムアウト時間をｔ秒にそれぞれ設定するとともに、経過時間ｘを０秒にクリアする。この上でステップＳＴ２においてプレゼンス情報管理機能２３，３３は、プレゼンス情報の取得の対象とするユーザｕの利用者端末宛にＳＵＢＳＣＲＩＢＥ要求を送出する。図３の例では、イベントＥ１がこれに対応する。
【００３１】
そしてこののち、プレゼンス情報管理機能２３，３３はステップＳＴ３乃至ステップＳＴ５において、ＮＯＴＩＦＹ通知が到来するか、タイムアウトが発生するか、あるいは経過時間ｘが有効期間Ｔを越えるのを待ち受ける。
【００３２】
さて、利用者端末２，３は、ＮＯＴＩＦＹ可能であればＳＵＢＳＣＲＩＢＥ要求を受けた以降にＮＯＴＩＦＹ通知を一定時間間隔で繰り返し送出する。そして図３のイベントＥ２やイベントＥ１３のように相手の利用者端末からＮＯＴＩＦＹ通知が送信され、これが到来したことをステップＳＴ３にて確認したならば、プレゼンス情報管理機能２３，３３はステップＳＴ６において、そのＮＯＴＩＦＹ通知を受けて、そこからプレゼンス情報を抽出する。そしてプレゼンス情報の抽出を終えたならばプレゼンス情報管理機能２３，３３は、ステップＳＴ３乃至ステップＳＴ５の待ち受け状態に戻る。
【００３３】
一方、相手の利用者端末がＮＯＴＩＦＹ通知不可能な状態となっているためにＮＯＴＩＦＹ通知がタイムアウト時間ｔに渡り到来しない場合、図３のイベントＥ３やイベントＥ８のようにタイムアウトとなる。そしてこのことをステップＳＴ４にて確認したならば、プレゼンス情報管理機能２３，３３はステップＳＴ７において、バックアッププレゼンスサーバ４１宛にＳＵＢＳＣＲＩＢＥ要求を送出する。図３の例では、イベントＥ４やイベントＥ９がこれに対応する。なおプレゼンス情報管理機能２３，３３は、バックアッププレゼンスサーバ４１を識別するための情報を、仲間リストあるいはプレゼンス情報の何れかを通して知ることが可能である。
【００３４】
そしてこののち、プレゼンス情報管理機能２３，３３はステップＳＴ７乃至ステップＳＴ９において、ＮＯＴＩＦＹ通知が到来するか、タイムアウトが発生するか、あるいは経過時間ｘが有効期間Ｔを越えるのを待ち受ける。
【００３５】
バックアッププレゼンスサーバ４１は、ＳＵＢＳＣＲＩＢＥ要求を受けた以降にＮＯＴＩＦＹ通知を一定時間間隔で繰り返し送出する。そして図３のイベントＥ５やイベントＥ１０のようにバックアッププレゼンスサーバ４１からＮＯＴＩＦＹ通知が送信され、これが到来したことをステップＳＴ８にて確認したならば、プレゼンス情報管理機能２３，３３はステップＳＴ７において、そのＮＯＴＩＦＹ通知を受けて、そこからプレゼンス情報を抽出する。そしてプレゼンス情報の抽出を終えたならばプレゼンス情報管理機能２３，３３は、ステップＳＴ８乃至ステップＳＴ１０の待ち受け状態に戻る。
【００３６】
プレゼンス情報管理機能２３，３３がステップＳＴ３乃至ステップＳＴ５またはステップＳＴ８乃至ステップＳＴ１０の待ち受け状態にあるときに経過時間ｘが有効期間Ｔを越え、そのことをステップＳＴ５またはステップＳＴ１０にて確認したならば、プレゼンス情報管理機能２３，３３はステップＳＴ１２において、経過時間ｘを０秒にクリアする。そしてこの上でプレゼンス情報管理機能２３，３３は、処理をステップＳＴ２に戻し、それ以降の処理を前述と同様に繰り返す。すなわち、ユーザｕの利用者端末宛にＳＵＢＳＣＲＩＢＥ要求を送出してから有効期間Ｔが経過したならば、プレゼンス情報管理機能２３，３３はユーザｕの利用者端末宛にＳＵＢＳＣＲＩＢＥ要求を再度送出する。図３の例ではイベントＥ６、イベントＥ７、イベントＥ１１およびイベントＥ１２がこれに対応する。そしてプレゼンス情報管理機能２３，３３は、以降このＳＵＢＳＣＲＩＢＥ要求への応答状況に応じて前述と同様に処理を行う。
【００３７】
なお、ステップＳＴ８乃至ステップＳＴ１０のバックアッププレゼンスサーバ４１からのＮＯＴＩＦＹ通知を待ち受ける状態にあるときにタイムアウトが発生したことをステップＳＴ９にて確認したならば、プレゼンス情報管理機能２３，３３は利用者ｕが応答不能であると判断し、例えばそれに対処するための処理に移行する。
【００３８】
プレゼンス情報管理機能２３，３３は、相手の利用者端末２，３が使用可能である場合はその利用者端末２，３の識別情報を用いて、また相手の利用者端末が利用可能でない場合は通信ネットワーク１に接続されたバックアッププレゼンスサーバ４１の識別情報を用いて、当該利用者にアクセスする手段を他のユーザに知らせる。
【００３９】
以上のようにして、プレゼンス情報の共有が図られる。そしてプレゼンス情報に基づいて、データ共有を行うことが可能となる。つまり、各利用者端末２，３上のプレゼンス情報管理機能２３，３３は、バックアッププレゼンスサーバ４１との間でプレゼンス情報に関する状態の同期を行わずして、結果的に、相手に対して、都合の良いサーバが応答するように振舞うことが可能となる。
【００４０】
図４はデータ共有のためのファイル転送の手順の具体例を示すシーケンス図である。
【００４１】
この図４において、イベント群Ｅ２１では、利用者端末２と利用者端末３との間で上述のようにプレゼンス情報の共有が行われている。そしてイベントＥ２２にて利用者端末３にてファイル受信が可能となったため、その旨がイベントＥ２３におけるＮＯＴＩＦＹ通知により利用者端末２へと通知される。
【００４２】
これに応じてイベントＥ２４では、利用者端末２から利用者端末３へと、ファイルを送る旨のメタ情報（ファイル転送メッセージ）が送られる。これを受けて利用者端末３はイベントＥ２５において、ファイルＡを利用者端末２からダウンロードする。ここまでは、通常のＰ２Ｐ型のファイルの授受方法と同様である。
【００４３】
さて、イベントＥ２６においては、利用者端末３を取り巻く環境が変化し、利用者端末３にてファイルの受信が不可能になったとする。そうすると利用者端末２と利用者端末３との間で、イベント群Ｅ２７にてプレゼンス情報の共有が再度図られる。そしてこのプレゼンス情報の共有を通して、利用者端末２では、ファイルの受け付け先はファイル共有サーバ４２であることを知る。従って、利用者端末２はイベントＥ２８において、ファイル共有サーバ４２宛にファイル転送メッセージを送出する。
【００４４】
ファイル共有サーバ４２はイベントＥ２９において、上記のファイル転送メッセージにもとづいて該当するファイル（ファイルＢ）をダウンロードし、一時的に蓄える。またファイル共有サーバ４２はイベントＥ３０において、ファイルを受信した旨を伝えるファイル転送メッセージを利用者端末３に対して送出する。この際、ファイル共有サーバ４２は、ファイルのダウンロードを行うためのＵＲＬを利用者端末３に対して伝える。
【００４５】
利用者端末３は上記のファイル転送メッセージを受信した後に、イベントＥ３１において利用者と端末の環境が変化してファイルのダウンロードが可能となっならば、イベントＥ３２においてファイル共有サーバ４２からファイルＢをダウンロードする。
【００４６】
この具体例のようにして、利用者端末２，３上で実行されたプレゼンス情報管理機能２３，３３を通して、ファイル共有サーバ４２と連携し、利用者環境に応じたタイミングでファイルの授受が行われる。
【００４７】
以上のように本実施形態によれば、プレゼンス情報管理機能２３，３３およびセッション管理機能２４，３４は利用者端末２，３上に配備し、プレゼンス情報の管理・共有やセッション管理は各利用者端末２，３で実行する。これによって、仲間リストの入手にプレゼンスサーバを用いるものの、その後のプレゼンス情報共有やセッション管理は、サーバ４を経由せずに行うことが可能である。プレゼンス情報の送出頻度が高まり、情報量が増加した場合でも、その処理は各利用者端末２，３で分散してなされるため、サーバ４に負荷が集中することはなくなる。この結果、サーバ４の処理が要求に追いつかないためにプレゼンス共有が不安定となってしまうような事態を避けることができる。また、セッション管理についても同様に、サーバ４が利用者からの要求を処理しきれないためにセッション管理が不安定になってしまうような事態を避けることができる。
【００４８】
また、利用者は自己のプレゼンス情報を他ユーザに開示する際のアクセス情報をより詳細に設定・制御することが可能となる。従来のプレゼンス共有においては、ネットワーク上のサーバ上でこれらの情報を管理していたため、サーバ上の記憶域の制限から個々のユーザ毎のアクセス権や時間帯・状況に応じた処理ロジック等の設定は困難であったが、本発明に基づくプレゼンス情報共有やセッション管理機構では、利用者端末２，３のプレゼンス情報管理機能２３，３３においてＮＯＴＩＦＹメッセージを送出する際の処理手順をカスタマイズすることでこれを容易に実現することができる。
【００４９】
さらに、プレゼンス情報管理機能２３，３３が通信ネットワーク１上のサーバ４と連携する機能を持つことにより、完全なＰ２Ｐ通信では完結できない機能を補完し、利用者の利便性を高めることができる。利用者端末２，３やユーザの状況が許す限りサーバ４を介さないＰ２Ｐ通信を行うが、通信ネットワーク１ヘの接続状況や利用者の状況が変化した際には、利用者端末２，３上のプレゼンス情報管理機能２３，３３がこれをもとに情報の転送経路やプレゼンス情報の提供元をサーバ４の各種サーバ機能（例えば、バックアッププレゼンスサーバ４１およびファイル共有サーバ４２）に切り替えることで、利用者の状況に適応した通信を実現することが可能となる。
【００５０】
なお、本発明は上記実施形態に限定されるものではなく、本発明の要旨を逸脱しない範囲で種々の変形実施が可能である。
【００５１】
【発明の効果】
本発明によれば、プレゼンス情報を、個々の通信端末で管理し、通信端末間で通信ネットワークを介して直接的に共有することとしたので、プレゼンス情報の共有を効率良く行うことが可能となる。
【図面の簡単な説明】
【図１】本発明の一実施形態に係る通信端末が適用される通信システムを示すブロック図。
【図２】図１中のプレゼンス情報管理機能２３，３３におけるプレゼンス情報取得のための処理を示すフローチャート。
【図３】プレゼンス情報取得の手順の具体例を示すシーケンス図。
【図４】データ共有のためのファイル転送の手順の具体例を示すシーケンス図。
【符号の説明】
１…通信ネットワーク
２，３…利用者端末
４…サーバ
２１，３１…アプリケーション
２２，３２…仲間リスト管理機能
２３，３３…プレゼンス情報管理機能
２４，３４…セッション管理機能
４１…バックアッププレゼンスサーバ
４２…ファイル共有サーバ
【図１】
2004021420.tif 000003
【図２】
2004021420.tif 000004
【図３】
2004021420.tif 000005
【図４】
2004021420.tif 000006